(57)【要約】【課題】  金属メッシュによる塗布部を備えた塗布具の肌触りと塗布性能を向上させる。【解決手段】  塗布部２０の金属メッシュを綾織物１４とする。【選択図】図１
2005270626.tif 000002
【特許請求の範囲】
【請求項１】
金属のメッシュを有する塗布部（２０）を備えた、液状、ペースト状、ゲル状、蝋状または粉状の製品の塗布具において、
前記金属のメッシュが綾織物（１４）であることを特徴とする塗布具。
【請求項２】
前記織物（１４）のメッシュ間隔が０．０２ｍｍ〜０．２ｍｍであることを特徴とする請求項１記載の塗布具。
【請求項３】
前記織物（１４）のメッシュ間隔が０．０５ｍｍ〜０．０９ｍｍであることを特徴とする請求項２記載の塗布具。
【請求項４】
前記織物（１４）が線径０．０２ｍｍ〜０．１５ｍｍのワイヤから構成されていることを特徴とする請求項１〜３のいずれか１項記載の塗布具。
【請求項５】
前記織物（１４）が線径０．０４ｍｍ〜０．１ｍｍのワイヤから構成されていることを特徴とする請求項４記載の塗布具。
【請求項６】
前記織物（１４）がアニール加工および／またはカレンダー加工されることを特徴とする請求項１〜５のいずれか１項記載の塗布具。
【請求項７】
前記織物（１４）が張り延ばされた状態にあることを特徴とする請求項１〜６のいずれか１項記載の塗布具。
【請求項８】
前記織物（１４）が上に張り延ばされている支持器（１２）を備えていることを特徴とする請求項７記載の塗布具。
【請求項９】
前記支持器（１２）の、織物（１４）の張りを保持する領域の弾性率が、少なくとも８００Ｎ／ｍｍ２であることを特徴とする請求項８記載の塗布具。
【請求項１０】
前記支持器（１２）の、織物（１４）の張りを保持する領域の弾性率が、１１００Ｎ／ｍｍ２未満であることを特徴とする請求項９記載の塗布具。
【請求項１１】
前記支持器（１２）の、織物（１４）の張りを保持する領域の弾性率が、１０００Ｎ／ｍｍ２以下であることを特徴とする請求項１０記載の塗布具。
【請求項１２】
前記支持器（１２）の、織物（１４）の張りを保持する領域の壁圧が、少なくとも０．３ｍｍであることを特徴とする請求項８〜１１のいずれか１項記載の塗布具。
【請求項１３】
前記支持器（１２）の、織物（１４）の張りを保持する領域の壁圧が、４ｍｍ未満であることを特徴とする請求項１２記載の塗布具。
【請求項１４】
前記支持器（１２）の、織物（１４）の張りを保持する領域の壁圧が、１．５ｍｍ未満であることを特徴とする請求項１３記載の塗布具。
【請求項１５】
前記支持器（１２）の、織物（１４）の張りを保持する領域の壁圧が、０．８ｍｍ未満であることを特徴とする請求項１４記載の塗布具。
【請求項１６】
前記支持器（１２）は、前記塗布部（２０）の範囲を定める領域（２２．１、２２．２）の断面が円弧状となる輪郭を有していることを特徴とする請求項８〜１５のいずれか１項記載の塗布具。
【請求項１７】
前記支持器（１２）が、前記塗布部（２０）の範囲を定める領域に斜面を有することを特徴とする請求項８〜１６のいずれか１項記載の塗布具。
【請求項１８】
前記斜面の幅が０．１５ｍｍ〜２．５ｍｍであることを特徴とする請求項１７記載の塗布具。
【請求項１９】
前記織物（１４）が前記支持器（１２）の上に装着され、保持器（１８）が前記織物（１４）を前記支持器（１２）上に保持することを特徴とする請求項８〜１８のいずれか１項記載の塗布具。
【請求項２０】
前記保持器（１８）が環状体であることを特徴とする請求項１９記載の塗布具。
【請求項２１】
前記織物（１４）は、ニッケル含有量２％〜１６％のワイヤを備えていることを特徴とする請求項１〜２０のいずれか１項記載の塗布具。
【発明の詳細な説明】
【技術分野】
【０００１】
本発明は、金属のメッシュを有する塗布部を備えた、液状、ペースト状、ゲル状、蝋状または粉状の製品の塗布具に関する。
【背景技術】
【０００２】
上述のタイプの塗布具は、例えば特許文献１から公知である。
【０００３】
しかしながら、この公知の塗布具は触り心地の点で満足なものとは言えない。また、この公知の塗布具では、塗布されるべき製品を、塗布すべき表面に満遍なく分散させること（行き渡らせること）ができない。
【特許文献１】仏国特許第９２５８９９号明細書
【発明の開示】
【発明が解決しようとする課題】
【０００４】
そこで本発明の目的は、本明細書の冒頭部に記載されているタイプの塗布具を、肌触りの点について、および製品の分散に関して改善されるように進展させることである。
【課題を解決するための手段】
【０００５】
本発明によれば、本明細書の冒頭部に記載されているタイプの塗布具について、前述の目的は、金属のメッシュが綾織りであることによって達成される。
【０００６】
すなわち、驚くべきことに金属の綾織りは、それ以外の金属のメッシュとは異なり、皮膚に触れたときに素晴らしい肌触りを提供し、また、金属の綾織りによって該当製品を皮膚に満遍なく分散させることが可能であることが分かった。
【０００７】
本発明によれば、この織物のメッシュ間隔は、０．０２ｍｍと０．２ｍｍの間であることが好ましく、０．０５ｍｍと０．０９ｍｍの間であることがさらに好ましい。この寸法設定は肌触りの点で有利である一方、分散性に関しても有利である。また、この好適なメッシュ間隔は、特に製品がメッシュを通って塗布部に移動させられるときに有利である。
【０００８】
上記メッシュが線径０．０２ｍｍ〜０．１５ｍｍ、好ましくは０．０４ｍｍ〜０．１ｍｍのワイヤから構成されている場合には、別の利点が得られる
本発明によれば、この織物はアニール加工および／またはカレンダー加工されることが好ましく、それによって製品の塗布が特にソフトに優しく行われる。
【０００９】
本発明による織物は、張り延ばされた状態であることが好ましい。これは肌触りの点に関して、および製品の塗布の均一性に関して、特に有利である。
【００１０】
この点について、本発明によれば、塗布具が支持器を有し、支持器の上に織物が張り延ばされることが好ましい。
【００１１】
これに関連し、支持体の、織物の張りを保持する領域の弾性率が、少なくとも８００Ｎ／ｍｍ２、好ましくは１１００Ｎ／ｍｍ２未満、特に好ましくは１０００Ｎ／ｍｍ２以下であることがさらに好ましい。この構成は、特に織物を深絞りによって支持器に装着する場合に非常に有利である。
【００１２】
本発明によれば、同じ理由により、支持体の、織物の張りを保持する領域の壁圧が、具体的には張り延ばし方向と交差するように測定したときに、少なくとも０．３ｍｍであり、好ましくは４ｍｍ未満、さらに好ましくは１．５ｍｍ未満、最も好ましくは０．８ｍｍ未満であることが好ましい。
【００１３】
織物が支持器に装着されることに関し、本発明による支持器は、塗布部の範囲を定める領域の断面が円弧状となる輪郭を有していることが好ましい。これにより、織物を支持器に装着するときの織物の損傷（例えば、引裂による）が確実に防止される。
【００１４】
別の好適な特徴において、支持体は、塗布部の範囲を定める領域に斜面を有し、前記斜面の幅は０．１５ｍｍと２．５ｍｍの間の範囲にあることが好ましい。このような斜面は製品の均一な塗布および分散に関して特に有利である。すなわち、このような斜面が無ければ、例えば、製品を均一に分散させるのではなく、擦り込むときに、塗布具が製品を塗布具の前に押し出す恐れがある。
【００１５】
以上のように、本発明によれば、織物を裏返しにして支持器を覆い、保持器によって織物を支持器に保持することが特に好ましい。これによって、特に簡素な全体構造がもたらされる。
【００１６】
特に回転対称の支持器の場合、保持器は環状体の形態で具現化されることが好ましい。
【００１７】
最後に、本発明によれば、織物がニッケル含有量２％〜１６％のワイヤから構成されていることが特に好ましい。このようなニッケル含有量は上述の深絞り工程について特に有利である。
【発明を実施するための最良の形態】
【００１８】
添付の図面を参照しながら好適な実施形態を介して本発明を以下に詳細に説明する。
【００１９】
図面に示されている塗布具は、塗布されるべき製品を容れる（この場合はペースト状の形態の口紅を容れる）瓶状の容器１０を含む。容器１０に支持器１２が嵌着され、支持器１２に金属の綾織物１４が張り延ばされた状態で装着される。織物１４は環状体１８によって、張り延ばされた状態で支持器１２に保持される。この張りは、織物１４の主平面の方向の張りであり、織物１４を支持器に装着するための深絞り工程に由来するものである。
【００２０】
リップスティックに関して一般にそうであるように、図面に示されている塗布具は、縦軸に対して傾けられた平坦な塗布部２０を有している。塗布部２０の範囲を定める、図中、参照符号２２．１および２２．２で識別されている支持器１２の縁部は丸みが付けられているので、織物１４が支持器に装着されるときに損傷を生じないまた、この縁部は斜面となっている。
【００２１】
図面に示されている塗布具は次のように作成される。金属の綾織物がカレンダー加工され、深絞り工程によって支持器１２に装着される。深絞り工程によってもたらされた張りを維持するために、その上に環状体１８が嵌着される。これにより、織物１４の、特に塗布部２０に滑らかさが残ることとなる。深絞り工程に起因する皺は、いずれも環状体１８によって隠される。
【００２２】
容器１０は弾力性がある。容器が圧縮されると、容器内部に配置されている口紅などの化粧品が、出口１６および織物１４のメッシュを通って塗布部に移動する。この塗布部によって、口紅を皮膚に特に望ましく分散させることができ、また、皮膚科の作用のある製品をすり込むことができる。
【図面の簡単な説明】
【００２３】
【図１】本発明の特に好適な実施形態にしたがう塗布具の縦断面図である。
【符号の説明】
【００２４】
１０    容器
１２    支持器
１４    斜文織物
１６    出口
１８    環状体
２０    塗布部
２２    支持器の縁部
【図１】
2005270626.tif 000003